【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
検索結果の集合を可視化しナビゲートする、コンピュータにより実行される方法であって、
検索実行の要求を受けたことに応答して、検索エンジンによるデータベースの検索を要求するステップと、
前記検索エンジンからの検索結果を受けるステップであって、前記検索結果の各々が、該検索結果に関連した情報ページを特定する情報を含む、ステップと、
前記検索結果の各々について、該検索結果に関連した前記情報ページを読み出すステップと、
前記読み出した情報ページを最大倍率でレンダリングするアプリケーション・プログラムによって前記読み出した情報ページが表示されるのと同じように、前記読み出した情報ページをレンダリングするステップと、
前記レンダリングした情報ページの各々を拡縮して、前記レンダリングした情報ページの拡縮可視表現を生成するステップであって、前記レンダリングした情報ページが拡縮されて、該拡縮可視表現のすべてが１つの表示画面に合うようにされる、ステップと、
前記１つの表示画面上に前記拡縮可視表現を表示するステップと、
１つの拡縮可視表現の最大倍率の可視表現を見る要求を受けるステップと、
前記最大倍率の可視表現を見る要求を受けたことに応答して、前記拡縮可視表現に流動的にズームインすることによって、前記１つの表示画面上に前記最大倍率の可視表現を表示するステップと、
前記最大倍率の可視表現が表示されている間に前記検索結果の前記拡縮可視表現を見る要求を受けるステップと、
前記拡縮可視表現を見る要求を受けたことに応答して、前記最大倍率の可視表現から流動的にズームアウトすることによって、前記１つの表示画面における前記拡縮可視表現の同時表示を示すステップと、
を含む、方法。
【請求項２】
請求項１記載の方法において、１つ以上のカテゴリに基づいて、前記検索結果をグループに編成し、各拡縮可視表現を対応するグループ内に表示する、方法。
【請求項３】
請求項２記載の方法において、前記最大倍率可視表現を見る要求は、前記最大倍率可視表現を一時的に見る要求を含む、、方法。
【請求項４】
請求項２または３に記載の方法であって、更に、
ある選択されたカテゴリについて追加の詳細を見る要求を受けるステップと、
前記選択されたカテゴリについての追加の詳細を見る要求を受けたことに応答して、前記選択されたカテゴリにある検索結果に関連した情報ページの拡縮可視表現を同時に表示するステップと、
を含む、方法。
【請求項５】
請求項４記載の方法であって、更に、前記選択されたカテゴリについての追加の詳細を見る要求を受けたことに応答して、前記選択されたカテゴリにある検索結果に関連した前記情報ページの前記表示してある拡縮可視表現のサイズを増大するステップを含む、方法。
【請求項６】
請求項４または５に記載の方法において、前記選択されたカテゴリにある検索結果に関連した情報ページの拡縮可視表現を同時に表示するステップは、前記選択されたカテゴリにある検索結果に関連した情報ページの１つ以上の追加の可視表現を表示することを含む、方法。
【請求項７】
請求項２から６のいずれかに記載の方法において、前記カテゴリの各々は１つ以上の下位カテゴリを含み、前記方法は、更に、
選択されたカテゴリについて追加の詳細を見る要求を受けるステップと、
前記選択されたカテゴリについての追加の詳細を見る前記要求を受けたことに応答して、前記選択されたカテゴリの１つ以上の下位カテゴリにある検索結果と関連した情報ページの拡縮可視表現を同時に表示するステップと、
を含む、方法。
【請求項８】
請求項１記載の方法において、前記１つの表示画面において前記拡縮可視表現を同時に表示するステップは、前記拡縮可視表現の共通部分を特定し、前記１つの表示画面において前記共通部分をヘッダとして表示し、前記１つの表示画面において各々の拡縮可視表現を前記共通部分なしで表示することを含む、方法。
【請求項９】
請求項１記載の方法において、最大倍率の可視表現を見る要求を受けるステップは、所望の拡縮可視表現が選択されている間におけるマウス・ボタンの押下したままの保持を検出することを含み、最大倍率の可視表現が表示されている間に拡縮可視表現を見る要求を受けるステップは、前記マウス・ボタンが放されたことを検出することを含む、方法。
【請求項１０】
コンピューター実行可能命令を格納したコンピューター読み取り可能記憶媒体であって、前記コンピューター実行可能命令がコンピューターによって実行されると、該コンピューターに、
検索実行の要求を受けたことに応答して、検索を実行するため検索エンジンに要求を送るステップと、
前記検索エンジンからの検索結果を受けるステップであって、前記検索結果の各々が、該検索結果に関連した情報ページを特定する情報を含む、ステップと、
前記検索結果の各々について、該検索結果に関連した前記情報ページを読み出すステップと、
前記読み出した情報ページを最大倍率でレンダリングするアプリケーション・プログラムによって前記読み出した情報ページが表示されるのと同じように、前記読み出した情報ページをレンダリングするステップと、
前記レンダリングした情報ページの各々を拡縮して、前記レンダリングした情報ページの拡縮可視表現を生成するステップであって、前記レンダリングした情報ページが拡縮されて、該拡縮可視表現のすべてが１つの表示画面に合うようにされる、ステップと、
１つの選択された拡縮可視表現の最大倍率の可視表現を見る要求を受けるステップと、
前記最大倍率の可視表現を見る要求を受けたことに応答して、選択された前記拡縮可視表現に表示を流動的にズームインすることによって、前記最大倍率の可視表現を表示するステップと、
前記最大倍率の可視表現が表示されている間に前記拡縮可視表現を見る要求を受けるステップと、
前記拡縮可視表現を見る要求を受けたことに応答して、前記最大倍率の可視表現から流動的にズームアウトすることによって、前記１つの表示画面における前記拡縮可視表現の同時表示を示すステップと、
を実行させる、コンピューター読み取り可能記憶媒体。
【請求項１１】
請求項１０記載のコンピューター読み取り可能記憶媒体であって、更に、前記コンピューターによって実行されると、該コンピューターに、複数のグループにある前記拡縮可視表現を表示するステップを実行させるコンピューター実行可能命令を格納し、前記複数のグループは、前記検索結果の各々に割り当てられた１つ以上のカテゴリに基づく、コンピューター読み取り可能記憶媒体。
【請求項１２】
請求項１１記載のコンピューター読み取り可能記憶媒体であって、更に、前記コンピューターによって実行されると、該コンピューターに、前記グループの各々に隣接して、カテゴリ名を表示するステップを実行させるコンピューター実行可能命令を格納した、コンピューター読み取り可能記憶媒体。
【請求項１３】
請求項１２記載のコンピューター読み取り可能記憶媒体であって、更に、前記コンピューターによって実行されると、該コンピューターに、
カテゴリ名の選択を受け取るステップと、
カテゴリ名の前記選択に応答して、前記カテゴリ名に対応するカテゴリにある拡縮可視表現を表示するステップと、
を実行させるコンピューター実行可能命令を格納した、コンピューター読み取り可能記憶媒体。
【請求項１４】
請求項１３記載のコンピューター読み取り可能記憶媒体であって、更に、前記コンピューターによって実行されると、該コンピューターに、カテゴリ名の前記選択に応答して、選択されたカテゴリ名に対応するカテゴリにある前記拡縮可視表現のサイズを増大するステップを実行させるコンピューター実行可能命令を格納した、コンピューター読み取り可能記憶媒体。
【請求項１５】
請求項１３または１４に記載のコンピューター読み取り可能記憶媒体であって、更に、前記コンピューターによって実行されると、該コンピューターに、カテゴリ名の前記選択に応答して、選択されたカテゴリ名に対応するカテゴリにある１つ以上の追加の拡縮可視表現を表示するステップを実行させるコンピューター実行可能命令を格納した、コンピューター読み取り可能記憶媒体。
【請求項１６】
請求項１３から１５のいずれかに記載のコンピューター読み取り可能記憶媒体であって、前記カテゴリの各々は１つ以上の下位カテゴリに細分化され、前記コンピューター読み取り可能記憶媒体は、更に、前記コンピューターによって実行されると、該コンピューターに、カテゴリ名の前記選択に応答して、選択されたカテゴリ名に対応するカテゴリの１つ以上の下位カテゴリにある拡縮可視表現を表示するステップを実行させるコンピューター実行可能命令を格納した、コンピューター読み取り可能記憶媒体。
【請求項１７】
複数のカテゴリに編成された複数の検索結果を可視化しナビゲートする、コンピュータにより実行される方法であって、
検索実行の要求を受けたことに応答して、検索エンジンによるデータベースの検索を要求するステップと、
前記検索エンジンからの検索結果を受けるステップであって、前記検索結果の各々が、該検索結果に関連した情報ページを特定する情報を含む、ステップと、
前記検索結果の各々について、前記情報により特定された前記情報ページを読み出すステップと、
前記読み出した情報ページを最大倍率でレンダリングするアプリケーション・プログラムによって前記読み出した情報ページが表示されるのと同じように、前記読み出した情報ページをレンダリングするステップと、
前記レンダリングした情報ページの各々を拡縮して、前記レンダリングした情報ページの拡縮可視表現を生成するステップであって、前記レンダリングした情報ページが拡縮されて、該拡縮可視表現のすべてが１つの表示画面に合うようにされる、ステップと、
１つ以上のグループにある前記拡縮可視表現を表示することによって前記検索結果を表示するステップであって、前記１つ以上のグループの各々が前記複数のカテゴリの１つに対応する、ステップと、
１つの拡縮可視表現の最大倍率表現を表示する要求を受けるステップと、
最大倍率表現を表示する前記要求に応答して、前記拡縮可視表現に流動的にズームインすることによって、前記最大倍率表現を表示するステップと、
前記最大倍率表現から流動的にズームアウトすることによって、前記１つ以上のグループにある前記拡縮可視表現を表示するステップと、
を含む、方法。
【請求項１８】
請求項１７記載の方法であって、更に、
各グループに隣接してカテゴリ名を表示するステップと、
カテゴリ名の前記選択を受けるステップと、
カテゴリ名の前記選択を受けたことに応答して、選択されたカテゴリ名に対応するカテゴリ内の拡縮可視表現を表示するステップと、
を含む、方法。
【請求項１９】
請求項１８記載の方法において、前記カテゴリの各々は１つ以上の下位カテゴリを含み、前記方法は、更に、
前記カテゴリ名の選択を受けたことに応答して、選択されたカテゴリ名に対応するカテゴリのある下位カテゴリにある拡縮可視表現を表示するステップを含む、方法。